(57)【要約】【課題】上下の足場金具の間隔が空き過ぎてその間の柱材に直接足場を取り付けることができない場合でも、その間に足場金具を追加することができる梯子金具を提供する。【解決手段】上下方向に離れた上側足場金具と下側足場金具に対し左右方向に所定間隔を空けて固定される一対の縦材１１，１１と、一対の縦材１１，１１の上端部それぞれを上側足場金具２に固定する上部固定金具１２Ｌ，１２Ｒと、一対の縦材１１，１１の下端部それぞれを下側足場金具３に固定する下部固定金具１３，１３と、一対の縦材１１，１１の中間に設けられた追加足場金具１４とを有する。【選択図】図１１
2018199910.tif 000002
【特許請求の範囲】
【請求項１】
上下方向に離れた上側足場金具と下側足場金具に対し左右方向に所定間隔を空けて固定される一対の縦材と、
前記一対の縦材の上側それぞれを前記上側足場金具に固定する上部固定金具と、
前記一対の縦材の下側それぞれを前記下側足場金具に固定する下部固定金具と、
前記一対の縦材の中間に設けられた追加足場金具と、
を有することを特徴とする梯子金具。
【請求項２】
請求項１の梯子金具において、
前記一対の縦材は、
それぞれ、その上端部にフック形状のフック部が設けられ、そのフック部の先端部にはネジ部が形成されており、
前記上部固定金具は、
前記縦材が通る縦材通し孔が形成された縦材係止板部と、
前記フック部先端に係止する横溝部が形成されたフック部係止板部と、を有し、
前記縦材係止板部の縦材通し孔に前記縦材を通して回動させることにより、前記フック部係止板部の横溝部を前記縦材のフック部先端に係止し、前記フック部係止板部の横溝部より突出する前記縦材のフック部先端にネジ部にナットを締結することによって、前記一対の縦材の上側を前記上側足場金具に固定することを特徴とする梯子金具。
【請求項３】
請求項２の梯子金具において、
前記縦材係止板部の縦材通し孔は、前記上部固定金具の長手方向に延びる長孔形状であり、
前記フック部係止板部は、前記縦材係止板部に対し傾斜していることを特徴とする梯子金具。
【請求項４】
請求項１〜３のいずれか一の請求項に記載の梯子金具において、
前記下側足場金具は、
作業者の足で踏まれる足踏み部を有し、
前記下部固定金具は、
フック状金具と、台座金具と、を備え、
前記フック状金具は、
ネジ部が形成された直線状のフック状金具本体と、
そのフック状金具本体の先端でＵ字形状に折れ曲がったフック部とから構成され、
前記台座金具は、
前記縦材が通る縦材通し孔が形成され水平板部と、
その水平板部から起立して形成され、前記フック状金具のフック状金具本体を通すフック状金具通し孔が形成された起立板部と、
その起立板部から前記水平板部と対向しつつ前記下側足場金具の足踏み部の外径よりも小さい長さだけ突出した突出板部とを有し、
前記台座金具の水平板部の縦材通し孔に前記縦材を通す共に、前記フック状金具のフック部を前記縦材に係止して前記フック状金具のフック状金具本体を前記台座金具の起立板部のフック状金具通し孔に通し、前記フック状金具本体のネジ部に対し前記縦材の反対側からナットを締結することによって、前記一対の縦材の下側を前記下側足場金具に固定することを特徴とする梯子金具。
【発明の詳細な説明】
【技術分野】
【０００１】
本発明は、上下に離れ過ぎて設置された既存の足場金具の間に追加の足場金具を追加する梯子金具に関する。
【背景技術】
【０００２】
鉄骨構造物に足場を設けるための足場金具として、例えば、平面視、コ字状の足踏み部を取り付けるものが提案されている（例えば、特許文献１，２参照。）。
【先行技術文献】
【特許文献】
【０００３】
【特許文献１】特開平７−３３１８６３号公報
【特許文献２】特開２０１３−２１３３７８号公報
【発明の概要】
【発明が解決しようとする課題】
【０００４】
しかし、足場金具を取り付ける鉄骨構造物には、各種鉄板や鋼材等が溶接されているため、それらの鉄板や鋼材が障害物となって足場金具を装着できず、足場金具の間隔が空き過ぎてしまうと場合がある、いう問題があった。
【０００５】
そこで、本発明は、上下の足場金具の間隔が空き過ぎてその間の柱材に直接足場を取り付けることができない場合でも、その間に足場金具を追加することができる梯子金具を提供することを目的とする。
【課題を解決するための手段】
【０００６】
上記課題を解決するため、本発明に係る梯子金具は、上下方向に離れた上側足場金具と下側足場金具に対し左右方向に所定間隔を空けて固定される一対の縦材と、前記一対の縦材の上側それぞれを前記上側足場金具に固定する上部固定金具と、前記一対の縦材の下側それぞれを前記下側足場金具に固定する下部固定金具と、前記一対の縦材の中間に設けられた追加足場金具と、を有することを特徴とする。
ここで、前記梯子金具において、前記一対の縦材は、それぞれ、その上端部にフック形状のフック部が設けられ、そのフック部の先端部にはネジ部が形成されており、前記上部固定金具は、前記縦材が通る縦材通し孔が形成された縦材係止板部と、前記フック部先端に係止する横溝部が形成されたフック部係止板部と、を有し、前記縦材係止板部の縦材通し孔に前記縦材を通して回動させることにより、前記フック部係止板部の横溝部を前記縦材のフック部先端に係止し、前記フック部係止板部の横溝部より突出する前記縦材のフック部先端にネジ部にナットを締結することによって、前記一対の縦材の上側を前記上側足場金具に固定するようにしても良い。
また、前記梯子金具において、前記縦材係止板部の縦材通し孔は、前記上部固定金具の長手方向に延びる長孔形状であり、前記フック部係止板部は、前記縦材係止板部に対し傾斜しているようにしても良い。
また、前記梯子金具において、前記下側足場金具は、作業者の足で踏まれる足踏み部を有し、前記下部固定金具は、フック状金具と、台座金具と、を備え、前記フック状金具は、ネジ部が形成された直線状のフック状金具本体と、そのフック状金具本体の先端でＵ字形状に折れ曲がったフック部とから構成され、前記台座金具は、前記縦材が通る縦材通し孔が形成され水平板部と、その水平板部から起立して形成され、前記フック状金具のフック状金具本体を通すフック状金具通し孔が形成された起立板部と、その起立板部から前記水平板部と対向しつつ前記下側足場金具の足踏み部の外径よりも小さい長さだけ突出した突出板部とを有し、前記台座金具の水平板部の縦材通し孔に前記縦材を通す共に、前記フック状金具のフック部を前記縦材に係止して前記フック状金具のフック状金具本体を前記台座金具の起立板部のフック状金具通し孔に通し、前記フック状金具本体のネジ部に対し前記縦材の反対側からナットを締結することによって、前記一対の縦材の下側を前記下側足場金具に固定するようにしても良い。
【発明の効果】
【０００７】
本発明に係る梯子金具では、上下方向に離れた上側足場金具と下側足場金具に対し左右方向に所定間隔を空けて固定される一対の縦材と、一対の縦材の上側それぞれを上側足場金具に固定する上部固定金具と、一対の縦材の下側それぞれを下側足場金具に固定する下部固定金具と、一対の縦材の中間に設けられた追加足場金具とを有する。
そのため、鉄骨構造物に取り付けた足場金具の間隔が空き過ぎて、その間の柱材に直接足場を取り付けることができない場合でも、その間に足場金具を簡単に追加することができる。
【図面の簡単な説明】
【０００８】
【図１】本発明に係る実施形態の梯子金具の正面図である。
【図２】本発明に係る実施形態の梯子金具における要部拡大正面図である。
【図３】（ａ），（ｂ）それぞれ、本発明に係る実施形態の梯子金具を構成する縦材の正面図、側面図である。
【図４】（ａ），（ｂ）それぞれ、本発明に係る実施形態の梯子金具を構成する上部固定金具の斜視図、平面図である。
【図５】（ａ），（ｂ）それぞれ、本発明に係る実施形態の梯子金具を構成する上部固定金具の正面図、左側面図である。
【図６】（ａ），（ｂ）それぞれ、本発明に係る実施形態の梯子金具を構成する下部固定金具の台座金具の斜視図、平面図である。
【図７】（ａ），（ｂ）それぞれ、本発明に係る実施形態の梯子金具を構成する下部固定金具の台座金具の正面図、左側面図である。
【図８】（ａ），（ｂ）それぞれ、本発明に係る実施形態の梯子金具を構成する下部固定金具のフック状金具の平面図、正面図である。
【図９】（ａ），（ｂ）それぞれ、本発明に係る実施形態の梯子金具を構成する追加足場金具の斜視図、平面図である。
【図１０】（ａ），（ｂ）それぞれ、本発明に係る実施形態の梯子金具を構成する追加足場金具の正面図、左側面図である。
【図１１】本発明に係る実施形態の梯子金具の使用状態を示す斜視図である。
【図１２】本発明に係る実施形態の梯子金具の使用状態を示す側面図である。
【図１３】本発明に係る実施形態の梯子金具を構成する上部固定金具による縦材上端部のフック部を固定した状態を示す正面図である。
【図１４】本発明に係る実施形態の梯子金具を構成する上部固定金具による縦材上端部のフック部を固定した状態を示す平面図である。
【図１５】本発明に係る実施形態の梯子金具を構成する下部固定金具による縦材下端部を固定した状態を示す正面図である。
【図１６】本発明に係る実施形態の梯子金具を構成する下部固定金具による縦材下端部を固定した状態を示す平面図である。
【発明を実施するための形態】
【０００９】
以下、本発明にかかる梯子金具の実施形態について、図面を参照して説明する。なお、下記に説明する実施形態はあくまで本発明の一例であり、本発明は下記の実施形態に限定されるものではなく、本発明の技術思想の範囲内で適宜変更可能である。
【００１０】
本実施形態の梯子金具１は、上下に離れ過ぎて使用し難い既存の上側足場金具と下側足場金具との間に追加の足場金具を追加するもので、図１および図２に示すように、一対の縦材１１．１１と、上部固定金具１２Ｒ，１２Ｌと、下部固定金具１３と、追加足場金具１４と、落下防止金具１５と、ナット１６ａ，１６ｂ，１６と、ボルト１７等を備えて構成される。
【００１１】
＜縦材１１＞
各縦材１１は、それぞれ、図３（ａ），（ｂ）等に示すように、長尺の棒鋼材から構成され、その上端部はＵ字状に曲げられてフック部１１ａが設けられており、フック部１１ａの先端部にはナット１６（図１や図２等参照。）が螺合するようにネジ部１１ｂが形成されている。
【００１２】
各縦材１１の下端部には、落下防止金具１５の抜止めピン１５ａが挿入されるピン孔１１ｃが設けられている。
【００１３】
＜上部固定金具１２Ｌ，１２Ｒ＞
上部固定金具１２Ｌ，１２Ｒは、それぞれ、左右の縦材１１の上側を上部固定金具１２Ｌに固定するもので、左右対称に構成されているため、左側の上部固定金具１２Ｌについて説明する。
【００１４】
上部固定金具１２Ｌは、図４（ａ），（ｂ）および図５（ａ），（ｂ）に示すように、断面コ字状のチャネル材の長手方向のほぼ中央を曲げて縦材係止板部１２Ｌ１と、フック部係止板部１２Ｌ２とを設けており、縦材係止板部１２Ｌ１とフック部係止板部１２Ｌ２とは傾斜して構成されている。
【００１５】
縦材係止板部１２Ｌ１には、縦材１１が通る縦材通し孔１２Ｌ１ａが形成されており、その縦材通し孔１２Ｌ１ａは、上部固定金具１２Ｌの長手方向に延びる長孔形状に形成されている。
【００１６】
そのため、縦材通し孔１２Ｌ１ａに縦材１１を通した際、縦材通し孔１２Ｌ１ａが丸穴形状の場合よりも、縦材１１との間に上部固定金具１２Ｌの長手方向に隙間が空くので、上部固定金具１２Ｌが縦材１１を中心に回動し易くなり、作業性を向上させることができる。
【００１７】
また、縦材通し孔１２Ｌ１ａは、上部固定金具１２Ｌの長手方向に延びる長孔形状であり、縦材係止板部１２Ｌ１とフック部係止板部１２Ｌ２とは傾斜しているため、図２や後述する図１３等に示すようにナット１６ａを締結した際に、フック部係止板部１２Ｌ２とナット１６ａとの平行状態が保たれ、フック部係止板部１２Ｌ２とナット１６ａとは面で当たる。
【００１８】
そのため、ナット１６ａの締結力（軸力）を確実に上部固定金具１２Ｌに伝達できる一方、縦材係止板部１２Ｌ１は縦材１１に対し傾斜した状態で取り付けられ、縦材通し孔１２Ｌ１ａにおける上部固定金具１２Ｌの長手方向の内周面角部が縦材１１の外周面に角で当接するので、確実に縦材１１に係止されると共に、縦材係止板部１２Ｌ１側のガタツキも確実に防止できる。
【００１９】
また、上部固定金具１２Ｌのフック部係止板部１２Ｌ２には、フック部１１ａ先端に係止する横溝部１２Ｌ２ａが形成されている。
【００２０】
そのため、縦材係止板部１２Ｌ１の縦材通し孔１２Ｌ１ａに縦材１１を通して上部固定金具１２Ｌを回動させることにより、フック部係止板部１２Ｌ２の横溝部１２Ｌ２ａに簡単にフック部１１ａ先端に係止させることができる。
【００２１】
これにより、図２や後述する図１３等に示すように、フック部係止板部１２Ｌ２の横溝部１２Ｌ２ａから下方へ突出するフック部１１ａ先端のネジ部１１ｂにナット１６ａを締結して縦材１１を上側足場金具２の上側足場金具２ａに固定することができ、作業性を向上させることができる。
【００２２】
尚、上部固定金具１２Ｒは、上述した左側の上部固定金具１２Ｌと左右対称に形成されており、上部固定金具１２Ｌと同様に、縦材係止板部１２Ｒ１およびフック部係止板部１２Ｒ２から構成され、縦材係止板部１２Ｒ１には縦材通し孔１２Ｒ１ａが形成されている一方、フック部係止板部１２Ｒ２には横溝部１２Ｒ２ａが形成されている。
【００２３】
＜下部固定金具１３＞
下部固定金具１３は、一対の縦材１１の下端部それぞれを下側足場金具３に固定するもので、台座金具１３ａと、フック状金具１３ｂと、ナット１６ｂ等から構成される。
【００２４】
台座金具１３ａは、図６（ａ），（ｂ）および図７（ａ），（ｂ）に示すように、水平板部１３ａ１と、水平板部１３ａ１に対しほぼ９０度の角度で起立した起立板部１３ａ２と、起立板部１３ａ２に対しほぼ９０度の角度で折れ曲がって水平板部１３ａ１とほぼ平行に対向しつつ突出した突出板部１３ａ３とを有する。
【００２５】
水平板部１３ａ１には、縦材１１が通る長孔形状の縦材通し孔１３ａ１１が形成されている。
【００２６】
起立板部１３ａ２には、フック状金具１３ｂの後述するフック状金具本体１３ｂ１を通すためのフック状金具通し孔１３ａ２１Ｌ，１３ａ２１Ｒが形成されており、このフック状金具通し孔１３ａ２１Ｌ，１３ａ２１Ｒは水平板部１３ａ１まで連続して形成されている。尚、後述するように、台座金具１３ａを左側の縦材１１の固定に使用する場合は、フック状金具通し孔１３ａ２１Ｌにフック状金具１３ｂのフック状金具本体１３ｂ１が通され、台座金具１３ａを右側の縦材１１の固定に使用する場合は、フック状金具通し孔１３ａ２１Ｒにフック状金具１３ｂのフック状金具本体１３ｂ１が通されるが、この逆に通すこともできる。
【００２７】
突出板部１３ａ３は、図７（ａ）に示すように下側足場金具３の足踏み部３ａの外径よりも小さい長さＬだけ突出して形成されている。そのため、後述する図１５や図１６等に示すように、水平板部１３ａ１の縦材通し孔１３ａ１１に通した縦材１１と、台座金具１３ａの起立板部１３ａ２との間で下側足場金具３を挟持して固定した際に、突出板部１３ａ３先端が縦材１１の外周面に当接せず下側足場金具３をガタが生じないように確実に挟持できる。
【００２８】
フック状金具１３ｂは、図８（ａ），（ｂ）に示すように、ネジ部１３ｂ１１が形成された直線状のフック状金具本体１３ｂ１と、フック状金具本体１３ｂ１の先端でＵ字形状に折れ曲がったフック部１３ｂ２とから構成されている。
【００２９】
＜追加足場金具１４＞
追加足場金具１４は、図９（ａ），（ｂ）および図１０（ａ），（ｂ）に示すように、追加足踏み部１４ａと、追加足踏み部１４ａの両側に設けられた追加足踏み部取付具１４ｂとから構成されている。
【００３０】
追加足踏み部１４ａは、作業者の靴で踏まれる部分であり、Ｕ字状の棒鋼等を曲げて構成されている。
【００３１】
追加足踏み部取付具１４ｂは、縦材１１が通るように縦材１１のほぼ外径で平面視Ｕ字状に折れ曲げて構成されており、その両側にはそれぞれボルト１７が通されるボルト孔１４ｂ１が形成されている。尚、ボルト１７として角根ボルトが両方向から挿入して使用できるように各ボルト孔１４ｂ１は角根ボルトの角根部分の形状に合わせて正方形状に形成されている。
【００３２】
＜落下防止金具１５＞
【００３３】
落下防止金具１５は、図２等に示すように、縦材１１の下端部に設けられたピン孔１１ｃに挿入される抜止めピン１５ａと、縦材１１が挿入される挿入孔が形成された落下防止盤１５ｂとから構成されており、落下防止盤１５ｂの挿入孔に縦材１１を通した後、縦材１１のピン孔１１ｃに抜止めピン１５ａを挿入して、下部固定金具１３や追加足場金具１４、上部固定金具１２Ｒ，１２Ｌ等の落下を防止する。
【００３４】
次に以上のように構成された実施形態の梯子金具１の取付け方法について説明する。
【００３５】
図１１は、実施形態の梯子金具１の使用状態を示す斜視図、図１２はその側面図である。
図１１および図１２に示すように、鉄骨構造物の柱材４に取り付けた上側足場金具２とその下の下側足場金具３との間の間隔が空き過ぎていて、上側足場金具２と下側足場金具３とを使用し難いものの、その間に面積が広く、また高さの大きい鋼板５等が取り付けられていて、上側足場金具２とその下の下側足場金具３との間の柱材４に足場を直接取り付けることができない場合がある。
【００３６】
尚、上側足場金具２および下側足場金具３は、それぞれ、作業者の靴で踏まれるＵ字状の足踏み部２ａ，３ａと、足踏み部２ａ，３ａを柱材４に取り付けるための足踏み部取付具２ｂ,３ｂとを備えている。
【００３７】
このような場合には、上側足場金具２と下側足場金具３とに、図１〜図１０に示すように構成された実施形態の梯子金具１を取付けて、上側足場金具２と下側足場金具３との間に追加足場金具１４を追加する。
【００３８】
その際、実施形態の梯子金具１と上側足場金具２との固定は、上部固定金具１２Ｌ，１２Ｒとナット１６ａ，１６ａを使用して、図１１〜図１４に示すように、実施形態の梯子金具１を上側足場金具２に固定する。
【００３９】
具体的には、図１３および図１４に示すように、上側足場金具２の両側にそれぞれに縦材１１のフック部１１ａを引っ掛けて下方から各縦材１１に縦材係止板部１２Ｌ１の縦材通し孔１２Ｌ１ａを通した上部固定金具１２Ｌ，１２Ｒを上昇させると共に、上側足場金具２に上部固定金具１２Ｌ，１２Ｒそれぞれのフック部係止板部１２Ｌ２，１２Ｒ２が当接した際に上部固定金具１２Ｌ，１２Ｒそれぞれを各縦材１１を中心に回動してそれぞれのフック部係止板部１２Ｌ２，１２Ｒ２の横溝部１２Ｌ２ａ，１２Ｒ２ａを、左右の各縦材１１のフック部１１ａ先端に係止する。
【００４０】
すると、フック部係止板部１２Ｌ２，１２Ｒ２の横溝部１２Ｌ２ａ，１２Ｒ２ａから下方へ各縦材１１のフック部１１ａ先端のネジ部１１ｂが突出するので、図１３および図１４に示すように、突出した各ネジ部１１ｂにナット１６ａを螺合して締結する。
【００４１】
これにより、上側足場金具２の両側を各縦材１１のフック部１１ａと上部固定金具１２Ｌ，１２Ｒのフック部係止板部１２Ｌ２，１２Ｒ２先端部とにより挟持できるので、実施形態の梯子金具１の上部を上側足場金具２の両側に固定することができる。
【００４２】
一方、実施形態の梯子金具１と下側足場金具３との固定は、２個の下部固定金具１３，１３およびナット１６ｂ，１６ｂを使用して、図１５および図１６に示すように、実施形態の梯子金具１を下側足場金具３に固定する。
【００４３】
具体的には、左右の縦材１１，１１にそれぞれ通されている下部固定金具１３の台座金具１３ａを、下側足場金具３の高さまで上昇させ、台座金具１３ａの突出板部１３ａ３をそれぞれ下側足場金具３の上側に掛止する。
【００４４】
すると、下側足場金具３の足踏み部３ａと下部固定金具１３の水平板部１３ａ１との間にフック状金具１３ｂが通る程度の隙間が形成されるため、下部固定金具１３の起立板部１３ａ２のフック状金具通し孔１３ａ２１Ｌ，１３ａ２１Ｒそれぞれに、フック状金具１３ｂのフック状金具本体１３ｂ１側とを挿通する。
【００４５】
その際、下部固定金具１３の台座金具１３ａを左側の縦材１１の固定に使用する場合は、台座金具１３ａのフック状金具通し孔１３ａ２１Ｌにフック状金具１３ｂのフック状金具本体１３ｂ１を通す一方、下部固定金具１３の台座金具１３ａを右側の縦材１１の固定に使用する場合は、台座金具１３ａのフック状金具通し孔１３ａ２１Ｒにフック状金具１３ｂのフック状金具本体１３ｂ１を通す。
【００４６】
すると、下側足場金具３の内側には、台座金具１３ａの起立板部１３ａ２のフック状金具通し孔１３ａ２１Ｌ，１３ａ２１Ｒの内、一方のフック状金具通し孔１３ａ２１Ｌ，１３ａ２１Ｒからフック状金具１３ｂのフック状金具本体１３ｂ１が突出するので、そのネジ部１３ｂ１１にナット１６ｂを螺合し締結して、図１５および図１６に示すように、左右の各縦材１１と下部固定金具１３の起立板部１３ａ２および突出板部１３ａ３等との間で下側足場金具３を挟持して、実施形態の梯子金具１の下部を下側足場金具２の両側に固定することができる。
【００４７】
これにより、図１１に示すように、上部固定金具１２Ｌ，１２Ｒとナット１６ａ，１６ａによって実施形態の梯子金具１の上部を上側足場金具２の両側に固定する一方、台座金具１３ａおよびフック状金具１３ｂからなる下部固定金具１３とナット１６ｂによって実施形態の梯子金具１の下部を下側足場金具２の両側に固定して、間隔が空き過ぎている上側足場金具２と下側足場金具３とに縦材１１，１１を固定できることになる。
【００４８】
その結果、左右両側の縦材１１の長手方向のほぼ中間には、図９および図１０に示すように構成された追加足場金具１４が図２等に示すようにボルト１７およびナット１６ｃによって取り付けられているので、間隔が空き過ぎている上側足場金具２と下側足場金具３との間に、追加足場金具１４を取り付けることができる。
【００４９】
なお、追加足場金具１４の高さは、ボルト１７およびナット１６ｃを緩める再度締結することによって適宜調整できる。
【００５０】
以上説明したように、実施形態の梯子金具１は、上下方向に離れた上側足場金具２と下側足場金具３を連結する一対の縦材１１と、一対の縦材１１の上側それぞれを上側足場金具２に固定する上部固定金具１２と、一対の縦材１１の下端部それぞれを下側足場金具３に固定する下部固定金具１３と、一対の縦材１１の中間に設けられた追加足場金具１４とを有するため、上側足場金具２と下側足場金具３との間隔が空き過ぎて、その間の柱材４に直接足場を取り付けることができない場合でも、上側足場金具２と下側足場金具３とに図１〜図１０に示すように構成された実施形態の梯子金具１を固定して、上側足場金具２と下側足場金具３との間に追加足場金具１４を追加することができる。
【００５１】
特に、縦材１１の上側はフック形状のフック部１１ａを有しており、上部固定金具１２Ｌ，１２Ｒは、縦材１１が通る縦材通し孔１２Ｌ１ａ，１２Ｒ１ａが形成された縦材係止板部１２Ｌ１，１２Ｒ１と、フック部１１ａ先端に係止する横溝部１２Ｌ２ａ，１２Ｒ２ａが形成されたフック部係止板部１２Ｌ２，１２Ｒ２とを備え、各縦材１１に通した上部固定金具１２Ｌ，１２Ｒを各縦材１１を中心に回動させてフック部係止板部１２Ｌ２，１２Ｒ２の横溝部１２Ｌ２ａ，１２Ｒ２ａをフック部１１ａ先端に係止して下方からナット１６により締結できるので、実施形態の梯子金具１の上部を上側足場金具２の両側に容易かつ確実に固定することができ、作業性を向上させることができる。
【００５２】
また、上部固定金具１２Ｌ，１２Ｒの縦材係止板部１２Ｌ１，１２Ｒ１には、縦材１１が通る縦材通し孔１２Ｌ１ａ，１２Ｒ１ａが形成されており、その縦材通し孔１２Ｌ１ａ，１２Ｒ１ａは、上部固定金具１２Ｌ，１２Ｒの長手方向に延びる長孔形状に形成されている。
【００５３】
そのため、縦材通し孔１２Ｌ１ａ，１２Ｒ１ａそれぞれに縦材１１を通した際、縦材通し孔１２Ｌ１ａ，１２Ｒ１ａが丸穴形状の場合よりも、縦材１１との間に上部固定金具１２Ｌ，１２Ｒの長手方向に隙間が空くので、上部固定金具１２Ｌ，１２Ｒが縦材１１を中心に回動し易くなり、作業性を向上させることができる。
【００５４】
また、縦材通し孔１２Ｌ１ａ，１２Ｒ１ａは、上部固定金具１２Ｌ，１２Ｒの長手方向に延びる長孔形状であり、縦材係止板部１２Ｌ１，１２Ｒ１とフック部係止板部１２Ｌ２，１２Ｒとは傾斜しているため、図２や図１３等に示すようにナット１６ａを締結した場合でも、フック部係止板部１２Ｌ２，１２Ｒ２とナット１６ａとの平行状態が保たれ、フック部係止板部１２Ｌ２，１２Ｒ２とナット１６ａとは面で当たる。
【００５５】
そのため、ナット１６ａの締結力（軸力）を確実に上部固定金具１２Ｌ，１２Ｒに伝達でき、上部固定金具１２Ｌ，１２Ｒによって各縦材１１の上部を上側足場金具２の足踏み部２ａにより確実に固定できる。
【００５６】
さらに、縦材係止板部１２Ｌ１，１２Ｒ１は、縦材１１に対し傾斜した状態で取り付けられ、縦材通し孔１２Ｌ１ａ，１２Ｒ１ａにおける上部固定金具１２Ｌ，１２Ｒの長手方向の内周面角部が縦材１１の外周面に角で当接するので、確実に縦材１１に係止されると共に、縦材係止板部１２Ｌ１側のガタツキも確実に防止できる。
【００５７】
また、下部固定金具１３は、台座金具１３ａと、フック状金具１３ｂとを備え、台座金具１３ａは、縦材１１が通る縦材通し孔１３ａ１１が形成され水平板部１３ａ１と、その水平板部１３ａ１から起立して形成され、フック状金具１３ｂのフック状金具本体１３ｂ１を通すフック状金具通し孔１３ａ２１Ｌ，１３ａ２１Ｒが形成された起立板部１３ａ２と、その起立板部１３ａ２から水平板部１３ａ１と対向しつつ下側足場金具３の足踏み部３ａの外径よりも小さい長さＬだけ突出した突出板部１３ａ３とを有する。
【００５８】
そのため、実施形態の梯子金具１の下側を下側足場金具３に固定する場合、台座金具１３ａの水平板部１３ａ１の縦材通し孔１３ａ１１に縦材１１を通す共に、フック状金具１３ｂのフック部を縦材１１に係止してフック状金具１３ｂのフック状金具本体１３ｂ１を台座金具１３ａの起立板部１３ａ２のフック状金具通し孔１３ａ２１Ｌ，１３ａ２１Ｒに通して、フック状金具本体１３ｂ１のネジ部１３ｂ１１に対し縦材１１の反対側からナット１６ｂを締結することによって、各縦材１１の下側を下側足場金具３の足踏み部３ａに固定できる。
【００５９】
その結果、実施形態の梯子金具１の下側を下側足場金具３に容易かつ確実に固定することでき、作業性が向上すると共に、下側足場金具３の高さが一定でなくても、縦材１１における下部固定金具１３の取付け位置を任意の高さに設定して、下部固定金具１３の取付け位置を容易に下側足場金具３の高さに合わせることが可能となり、この点でも作業性を向上させることができる。
【００６０】
また、実施形態の梯子金具１では、各縦材１１の下端部には、落下防止金具１５の抜止めピン１５ａが挿入されるピン孔１１ｃを設け、抜止めピン１５ａを介して落下防止盤１５ｂを設け、その上に予め下部固定金具１３の台座金具１３ａや、上部固定金具１２Ｌ，１２Ｒを縦材１１に予め通しておくと共に、下部固定金具１３の台座金具１３ａと上部固定金具１２Ｌ，１２Ｒとの間に予め追加足場金具１４を取付けておくことができるため、落下防止金具１５によって下部固定金具１３や追加足場金具１４、上部固定金具１２Ｒ，１２Ｌ等の落下を防止することが可能となり、この点でも作業性を向上させることができる。
【符号の説明】
【００６１】
１  梯子金具
１１  縦材
１１ａ  フック部
１１ｂ  ネジ部
１１ｃ  ピン孔
１２Ｌ，１２Ｒ  上部固定金具
１２Ｌ１，１２Ｒ１  縦材係止板部
１２Ｌ１ａ，１２Ｒ１ａ  縦材通し孔
１２Ｌ２，１２Ｒ２  フック部係止板部
１２Ｌ２ａ，１２Ｒ２ａ  横溝部
１３  下部固定金具
１３ａ  台座金具
１３ａ１  水平板部
１３ａ１１  縦材通し孔
１３ａ２  起立板部
１３ａ２１Ｌ，１３ａ２１Ｒ  フック状金具通し孔
１３ａ３  突出板部
１３ｂ  フック状金具
１３ｂ１  フック状金具本体
１３ｂ１１  ネジ部
１３ｂ２  フック部
１４  追加足場金具
１４ａ  追加足踏み部
１４ｂ  追加足踏み部取付具
１４ｂ１  ボルト孔
１４ｂ２  開口部
１５  落下防止金具
１５ａ  抜止めピン
１５ｂ  落下防止盤
１６ａ，１６ｂ，１６ｃ  ナット
１７  ボルト
２  上側足場金具
３  下側足場金具
２ａ, ３ａ  足踏み部
２ｂ, ３ｂ  足踏み部取付具
【図１】
2018199910.tif 000003
【図２】
2018199910.tif 000004
【図３】
2018199910.tif 000005
【図４】
2018199910.tif 000006
【図５】
2018199910.tif 000007
【図６】
2018199910.tif 000008
【図７】
2018199910.tif 000009
【図８】
2018199910.tif 000010
【図９】
2018199910.tif 000011
【図１０】
2018199910.tif 000012
【図１１】
2018199910.tif 000013
【図１２】
2018199910.tif 000014
【図１３】
2018199910.tif 000015
【図１４】
2018199910.tif 000016
【図１５】
2018199910.tif 000017
【図１６】
2018199910.tif 000018